(57)【要約】    【課題】  入力データの特徴部分をより強くする補正を行うことができるキーストン補正用画質補正回路を提供すること。    【解決手段】  入力映像データのうちの少なくとも４ライン以上の中から１６画素を選択して出力する画素選択部と、１６個の画素データにそれぞれフィルタ係数を掛けた後に加算して出力としての１画素データを得て、設定された拡大率又は縮小率に基づいて一定間隔毎に画素の補完又は間引きを行う拡大縮小フィルタとを具備してなるキーストン補正用画質補正回路において、画素選択部と拡大縮小フィルタとの間に、画素選択部からの１６個の画素データを用いて離散コサイン変換処理を行って１６個のＤＣＴ係数値を求めるＤＣＴ処理部と、ＤＣＴ係数値に対して特徴部分を強調する補正としての演算処理を行う画質補正部と、補正後のＤＣＴ係数値を用いて逆離散コサイン変換処理を行って補正後の１６個の画素データを出力するＩＤＣＴ処理部とを設けた。【選択図】    図１
2006180265.tif 000002
【特許請求の範囲】
【請求項１】
入力された映像データのうちの少なくともｎライン（ｎは２以上の整数）の中からｎ2画素を選択して出力する画素選択部と、ｎ2個の画素データにそれぞれフィルタ係数を掛けた後に加算することで出力としての１画素データを得て、また、設定された拡大率又は縮小率に基づいて一定間隔毎に画素の補完又は間引きを行う拡大縮小フィルタとを具備してなるキーストン補正用画質補正回路において、前記画素選択部と拡大縮小フィルタとの間に、前記画素選択部からのｎ2個の画素データを用いて離散コサイン変換処理を行ってｎ2個のＤＣＴ係数値を求めるＤＣＴ処理部と、前記ＤＣＴ係数値に対して入力された映像の特徴部分を強調する補正としての演算処理を行う画質補正部と、前記補正後のＤＣＴ係数値を用いて逆離散コサイン変換処理を行って補正後のｎ2個の画素データを出力するＩＤＣＴ処理部とを設けたことを特徴とするキーストン補正用画質補正回路。
【請求項２】
入力された映像データのうちの少なくとも４ライン以上の中から１６画素を選択して出力する画素選択部と、１６個の画素データにそれぞれフィルタ係数を掛けた後に加算することで出力としての１画素データを得て、また、設定された拡大率又は縮小率に基づいて一定間隔毎に画素の補完又は間引きを行う拡大縮小フィルタとを具備してなるキーストン補正用画質補正回路において、前記画素選択部と拡大縮小フィルタとの間に、前記画素選択部からの１６個の画素データを用いて離散コサイン変換処理を行って１６個のＤＣＴ係数値を求めるＤＣＴ処理部と、前記ＤＣＴ係数値に対して入力された映像の特徴部分を強調する補正としての演算処理を行う画質補正部と、前記補正後のＤＣＴ係数値を用いて逆離散コサイン変換処理を行って補正後の１６個の画素データを出力するＩＤＣＴ処理部とを設けたことを特徴とするキーストン補正用画質補正回路。
【請求項３】
前記画質補正部では、ＤＣＴ係数値の周波数成分に乗数値として任意の値を掛けることで入力された映像の特徴部分の補正を行うことを特徴とする請求項１又は２記載のキーストン補正用画質補正回路。
【請求項４】
前記画質補正部では、前記ＤＣＴ係数値のうち周波数成分に一定値を加算又は減算することで入力された映像の特徴部分の補正を行うことを特徴とする請求項１又は２記載のキーストン補正用画質補正回路。
【請求項５】
前記ＩＤＣＴ処理部の後段に、前記画素選択部からの１６画素データと前記ＩＤＣＴ処理部からの補正後の１６個の画素データとが入力されるセレクタを設け、このセレクタでは、別途入力される選択条件に基づいて何れかの入力データを選択して出力するようにしたことを特徴とする請求項１又は２記載のキーストン補正用画質補正回路。
【請求項６】
前記画質補正部とＩＤＣＴ処理部との間に、前記ＤＣＴ処理部からのＤＣＴ係数値と前記画質補正部からの補正後のＤＣＴ係数値とが入力されるセレクタを設け、このセレクタでは、別途入力される選択条件に基づいて何れかのＤＣＴ係数値を選択して後段のＩＤＣＴ処理部に出力するようにしたことを特徴とする請求項１又は２記載のキーストン補正用画質補正回路。
【発明の詳細な説明】
【技術分野】
【０００１】
本発明は、プロジェクタを用いてスクリーンに対して斜め方向から映像を投射した場合においても映像を正常なアスペクト比でスクリーンに表示させるためのキーストン補正処理に特化した画質補正回路に関するものである。
【背景技術】
【０００２】
従来より、プロジェクタの一種として、スクリーンの正面にプロジェクタを配置してスクリーンに映像を投射し、このスクリーンから映される映像を視聴する投射型プロジェクタが存在する。この場合、前記プロジェクタの投射方向とスクリーン面とが垂直となるように設置し、プロジェクタからの投射映像中心とスクリーンの中心とが同一水平線上で、かつ、プロジェクタの投射映像中心からスクリーンに表示される映像の上下・左右端までの投射角が等しくなるように配置することが望ましい。しかし、必ずしもスクリーン正面にプロジェクタを設置できるとは限らないため、これに対応する機能の１つとして、画像処理による補正手段であるキーストン補正機能が存在する。
【０００３】
前記キーストン補正機能は、スクリーンに対して斜め方向から映像を投射した場合に生じる歪みを補正する機能であり、液晶などの表示素子上において水平方向及び／又は垂直方向の拡縮率を変更して、スクリーン上での歪みと表示素子上での映像領域の歪みとが相殺されるように調整して、逆に歪んだ映像を投影することで、正常なアスペクト比の長方形の映像表示領域としてスクリーンに表示させる補正機能である。この補正処理において画像を縮小する場合には画素を間引かなければならず、逆に拡大する場合には画素間を近傍画素の情報で補わなければならないため、補正前に比べて補正後の画像はなまったものとなってしまう。特に文字や図形などの映像は、視認性が悪くなるという問題があった。
【０００４】
このような問題を解決するための発明として、特許文献１が既に提案されている。この特許文献１に記載の発明は、１画素幅の細線や１画素で構成される点をキーストン変換処理する場合でも、色が薄くなった線や点として表現されることを防ぎ、スクリーンに正しい形状の画像として投影できるように、予め、入力画像データ中から、縦線、横線、独立点などのエッジタイプを検出しておき、その部分の画素データの輝度値に、その周囲の背景画素データの輝度値との差分値に基づく輝度値の補正値を加算することで補正する画像処理装置である。
【特許文献１】特開２００４−１３９４３７号公報
【発明の開示】
【発明が解決しようとする課題】
【０００５】
この特許文献１記載の画像処理装置によれば、１画素幅の細線や１画素で構成される点をエッジタイプとして検出すると共にそのエッジレベルを算出して補正量を決定できるため、これらの細線や点の色がスクリーン上で薄くなることを防ぐことができるが、この構成ではエッジタイプ及びエッジレベルの検出を常に行う必要があり、回路構成が複雑になるという問題があった。
【０００６】
本発明は、上記問題点に鑑みなされたものであり、複雑な検出回路を設けることなく入力データの特徴部分をより強くする補正を行うことができるキーストン補正用画質補正回路を提供することを目的とするものである。
【課題を解決するための手段】
【０００７】
本発明の請求項１は、入力された映像データのうちの少なくともｎライン（ｎは２以上の整数）の中からｎ2画素を選択して出力する画素選択部と、ｎ2個の画素データにそれぞれフィルタ係数を掛けた後に加算することで出力としての１画素データを得て、また、設定された拡大率又は縮小率に基づいて一定間隔毎に画素の補完又は間引きを行う拡大縮小フィルタとを具備してなるキーストン補正用画質補正回路において、前記画素選択部と拡大縮小フィルタとの間に、前記画素選択部からのｎ2個の画素データを用いて離散コサイン変換処理を行ってｎ2個のＤＣＴ係数値を求めるＤＣＴ処理部と、前記ＤＣＴ係数値に対して入力された映像の特徴部分を強調する補正としての演算処理を行う画質補正部と、前記補正後のＤＣＴ係数値を用いて逆離散コサイン変換処理を行って補正後のｎ2個の画素データを出力するＩＤＣＴ処理部とを設けたことを特徴とするキーストン補正用画質補正回路である。
【０００８】
本発明の請求項２は、入力された映像データのうちの少なくとも４ライン以上の中から１６画素を選択して出力する画素選択部と、１６個の画素データにそれぞれフィルタ係数を掛けた後に加算することで出力としての１画素データを得て、また、設定された拡大率又は縮小率に基づいて一定間隔毎に画素の補完又は間引きを行う拡大縮小フィルタとを具備してなるキーストン補正用画質補正回路において、前記画素選択部と拡大縮小フィルタとの間に、前記画素選択部からの１６個の画素データを用いて離散コサイン変換処理を行って１６個のＤＣＴ係数値を求めるＤＣＴ処理部と、前記ＤＣＴ係数値に対して入力された映像の特徴部分を強調する補正としての演算処理を行う画質補正部と、前記補正後のＤＣＴ係数値を用いて逆離散コサイン変換処理を行って補正後の１６個の画素データを出力するＩＤＣＴ処理部とを設けたことを特徴とするキーストン補正用画質補正回路である。
【０００９】
本発明の請求項３は、請求項１又は２に加えて、前記画質補正部では、ＤＣＴ係数値の周波数成分に乗数値として任意の値を掛けることで入力された映像の特徴部分の補正を行うことを特徴とするキーストン補正用画質補正回路である。
【００１０】
本発明の請求項４は、請求項１又は２に加えて、前記画質補正部では、前記ＤＣＴ係数値のうち周波数成分に一定値を加算又は減算することで入力された映像の特徴部分の補正を行うことを特徴とするキーストン補正用画質補正回路である。
【００１１】
本発明の請求項５は、請求項１又は２に加えて、前記ＩＤＣＴ処理部の後段に、前記画素選択部からの１６画素データと前記ＩＤＣＴ処理部からの補正後の１６個の画素データとが入力されるセレクタを設け、このセレクタでは、別途入力される選択条件に基づいて何れかの入力データを選択して出力するようにしたことを特徴とするキーストン補正用画質補正回路である。
【００１２】
本発明の請求項６は、請求項１又は２に加えて、前記画質補正部とＩＤＣＴ処理部との間に、前記ＤＣＴ処理部からのＤＣＴ係数値と前記画質補正部からの補正後のＤＣＴ係数値とが入力されるセレクタを設け、このセレクタでは、別途入力される選択条件に基づいて何れかのＤＣＴ係数値を選択して後段のＩＤＣＴ処理部に出力するようにしたことを特徴とするキーストン補正用画質補正回路である。
【発明の効果】
【００１３】
請求項１記載の発明によれば、画素選択部で選択されたｎ2個の画素データに対して離散コサイン変換処理を行ってｎ2個のＤＣＴ係数値を求め、このＤＣＴ係数値に特徴部分を強調する補正としての演算処理を行った後に、逆離散コサイン変換処理を行って補正後のｎ2画素データを得るようにし、この補正後のｎ2画素データを用いて出力の１画素データを生成するようにしたので、文字や図形などの映像データの特徴を強調することが可能となり、拡大縮小フィルタにおける処理後の映像のなまりを軽減することができ、視認性を向上させることができる。
【００１４】
請求項２記載の発明によれば、画素選択部で選択された１６個の画素データに対して離散コサイン変換処理を行って１６個のＤＣＴ係数値を求め、このＤＣＴ係数値に特徴部分を強調する補正としての演算処理を行った後に、逆離散コサイン変換処理を行って補正後の１６画素データを得るようにし、この補正後の１６画素データを用いて出力の１画素データを生成するようにしたので、文字や図形などの映像データの特徴を強調することが可能となり、拡大縮小フィルタにおける処理後の映像のなまりを軽減することができ、視認性を向上させることができる。
【００１５】
請求項３記載の発明によれば、前記画質補正部では、ＤＣＴ係数値の周波数成分に乗数値として任意の値を掛けることで特徴部分の補正を行うようにしたので、文字や図形などの映像データの特徴を強調することが可能となり、拡大縮小フィルタにおける処理後の映像のなまりを軽減することができ、視認性を向上させることができる。
【００１６】
請求項４記載の発明によれば、前記画質補正部では、前記ＤＣＴ係数値のうち周波数成分に一定値を加算又は減算することで特徴部分の補正を行うようにしたので、文字や図形などの映像データの特徴を強調することが可能となり、拡大縮小フィルタにおける処理後の映像のなまりを軽減することができ、視認性を向上させることができる。
【００１７】
請求項５記載の発明によれば、前記ＩＤＣＴ処理部の後段に、前記画素選択部からの１６画素データと前記ＩＤＣＴ処理部からの補正後の１６個の画素データとが入力されるセレクタを設け、このセレクタでは、別途入力される選択条件に基づいて何れかの入力データを選択して出力するようにしたので、例えば、特徴部分のみ補正後の画素データを選択するなどの処理を行うことができる。
【００１８】
請求項６記載の発明によれば、前記画質補正部とＩＤＣＴ処理部との間に、前記ＤＣＴ処理部からのＤＣＴ係数値と前記画質補正部からの補正後のＤＣＴ係数値とが入力されるセレクタを設け、このセレクタでは、別途入力される選択条件に基づいて何れかのＤＣＴ係数値を選択して後段のＩＤＣＴ処理部に出力するようにしたので、例えば、特徴部分のみ補正後のＤＣＴ係数値を選択するなどの処理を行うことができる。
【発明を実施するための最良の形態】
【００１９】
本発明によるキーストン補正用画質補正回路は、本発明の請求項１は、入力された映像データのうちの少なくとも４ライン以上の中から１６画素を選択して出力する画素選択部と、１６個の画素データにそれぞれフィルタ係数を掛けた後に加算することで出力としての１画素データを得て、また、設定された拡大率又は縮小率に基づいて一定間隔毎に画素の補完又は間引きを行う拡大縮小フィルタとを具備してなるキーストン補正用画質補正回路において、前記画素選択部と拡大縮小フィルタとの間に、前記画素選択部からの１６個の画素データを用いて離散コサイン変換処理を行って１６個のＤＣＴ係数値を求めるＤＣＴ処理部と、前記ＤＣＴ係数値に対して入力された映像の特徴部分を強調する補正としての演算処理を行う画質補正部と、前記補正後のＤＣＴ係数値を用いて逆離散コサイン変換処理を行って補正後の１６個の画素データを出力するＩＤＣＴ処理部とを設けたことを特徴とするものである。以下、図面に基づいて詳細に説明する。
【実施例１】
【００２０】
図１に示すのは、本発明によるキーストン補正用画質補正回路の構成を示したブロック図であり、この図１に基づいて説明を行う。映像信号入力端子１１から入力された映像データは、フレームメモリ１２、シフトレジスタ１６ａ〜１６ｈ、及び、セレクタ１７から構成された画素選択部３０に入力され、この画素選択部３０では、入力された映像データのうちの少なくとも４ライン以上の中から１６画素を選択して、後段のＤＣＴ処理部１８に出力する。
【００２１】
前記画素選択部３０のうち、フレームメモリ１２では、入力された映像データの複数ラインを記憶し、このうちＬ０〜Ｌ７の計８ライン分の信号が同時に後段のシフトレジスタ１６ａ〜１６ｈに出力される。シフトレジスタ１６ａ〜１６ｈは、図２に示すように、それぞれ４つの１ドット遅延回路２４で構成されており、対応したライン毎に４画素分の信号を同時に後段のセレクタ１７に出力する。図１に示すように、便宜上、シフトレジスタ１６ａ〜１６ｈから出力される４画素分のデータをそれぞれＳ０〜Ｓ７と表している。なお、図１に示すように、シフトレジスタ１６ａ〜１６ｈに対してクロック信号入力端子１５からのクロック信号が入力されているが、これは処理のタイミングを計るための信号であり、図１においてクロック信号が入力されている他のブロックにおいても同様である。
【００２２】
前記画素選択部３０のうち、セレクタ１７は、シフトレジスタ１６ａ〜１６ｈからそれぞれ出力された４画素分のデータＳ０〜Ｓ７のうち、４ドット×４ラインのブロックとなる４つを選択して後段のＤＣＴ処理部１８に出力する。なお、選択する４ドット×４ラインのブロックを切換えるためには、図３に示すように、セレクト信号入力端子１３からのセレクト信号によって、選択する４ドット×４ラインのブロックを１ラインずつずらして後段のＤＣＴ処理部１８に出力する。
【００２３】
ＤＣＴ処理部１８では、入力された４ドット×４ラインの計１６画素のデータを用いて、離散コサイン変換（ＤＣＴ）処理を行って、１６画素のそれぞれに対応するＤＣＴ係数値を求め、後段の画質補正部１９に出力する。ここで、図４に示すように、４ドット×４ラインの計１６画素のそれぞれのＤＣＴ係数値をF(0,0)〜F(3,3)とすると、このＤＣＴ処理部１８で行う離散コサイン変換処理は、以下の式（１）による。
2006180265.tif 000003
ここで求めたＤＣＴ係数値をF(0,0)〜F(3,3)のうちF(0,0)は直流成分を表し、また、図４に示すように、ｕ、ｖの増大に伴って周波数成分が大きくなるという特徴を持っている。
【００２４】
画質補正部１９では、前記ＤＣＴ処理部１８で求めたＤＣＴ係数値に対して特徴部分を強調する補正として演算処理を行って、後段のＩＤＣＴ処理部２０に出力する。この画質補正部１９における演算処理による補正の一例としては、ＤＣＴ係数値に乗数として２を掛ける処理を行って後段のＩＤＣＴ処理部２０に出力する補正が考えられるし、また、ＤＣＴ係数値に一定値を加算（又は減算）して上乗せする補正も考えられる。ここで用いる乗数値又は加算値は、パラメータ入力端子１４から入力されるものであり、以降の説明においては、パラメータとして乗数値２が入力されて補正が行われているものとして説明を行う。なお、乗数値２を掛け合わせるのは、ＤＣＴ係数値のうち直流成分を表すF(0,0)を除くF(1,0)〜F(3,3)に対してであり、F(0,0)には乗数値１を掛け合わせる。
【００２５】
ＩＤＣＴ処理部２０では、前記画質補正部１９からの補正後のＤＣＴ係数値を用いて、逆離散コサイン変換（ＩＤＣＴ）処理を行うことで、ＤＣＴ係数値から４ドット×４ラインの計１６画素分の画素データを再び得て、これを後段の拡大縮小フィルタ２２に出力する。ここで行う逆離散コサイン変換処理は、処理後の４ドット×４ラインの計１６画素の画素データをf(0,0)〜f(3,3)とすると、以下の式（２）によって求めることができる。
2006180265.tif 000004
【００２６】
例えば、前記ＤＣＴ処理部１８において、図５（ａ）に示す１６画素データを用いて離散コサイン変換処理を行うと、図５（ｂ）に示すＤＣＴ係数値を得ることができる。この図５（ｂ）に示すＤＣＴ係数値をそのまま用いて前記ＩＤＣＴ処理部２０で逆離散コサイン変換処理を行うと図５（ａ）の画素データそのものを得るが、前記画質補正部１９において補正処理として乗数２（F(0,0)には乗数１）を掛けた後に前記ＩＤＣＴ処理部２０で逆離散コサイン変換処理を行うことで、図５（ｃ）に示すような特徴部分が強調された１６画素データを得ることができる。
【００２７】
拡大縮小フィルタ２２には、前記ＩＤＣＴ処理部２０からの補正処理後の１６画素データと、フィルタ係数入力端子２１からの１６個のフィルタ係数０〜Ｆ（合計が略１となる係数）とが入力され、対応する１６画素データとフィルタ係数０〜Ｆとをそれぞれ掛け合わせた後に加算処理をしてこれらの和を求める。このようにして求めた和が、当該１６画素データから算出した出力映像の１画素データとなる。また、この拡大縮小フィルタ２２にでは、設定された拡大率又は縮小率に基づいて一定間隔毎に画素の補完又は間引きを行って、要求された倍率の映像を出力する。このようして決定された１画素データが、映像データ出力端子２３から出力される。
【００２８】
次に、本発明によるキーストン補正用画質補正回路の作用を説明する。具体例として、図６（ａ）の斜線で示す１６画素を有効映像として、この１６画素に対応した図６（ｂ）に示す１６個のデータパターンを用いて、この有効映像部分を４分の３に縮小する場合について説明する。この図６（ａ）の映像データが入力されると、フレームメモリ１２、シフトレジスタ１６ａ〜１６ｈ及びセレクタ１７によって、順次処理されて１６画素データが選択されるが、先ず、図６（ｂ）に示すデータパターンのうちデータパターン０〜３が選択され、現ライン終了後に垂直方向に１ラインずらして、次にデータパターン４〜７が選択されるというようにして、最終的に図６（ｂ）に示す１６通りのデータパターンが選択される。これらについてそれぞれ、ＤＣＴ処理部１８による離散コサイン変換処理、画質補正部１９による乗数を掛ける演算、及び、ＩＤＣＴ処理部２０による逆離散コサイン変換処理が行われて、特徴部分が強調された１６画素データがそれぞれのデータパターン毎に得られる。
【００２９】
このようにして図６（ｂ）の１６通りのデータパターンから得られた各１６画素データは、拡大縮小フィルタ２２によってそれぞれフィルタ係数が掛けられた後に加算されて、それぞれのデータパターンから出力映像の１画素データが得られる。つまり、図６（ｂ）の１６通りのデータパターンから出力映像としての１６画素を得ることができるが、拡大縮小フィルタ２２では、このデータを４分の３に縮小するために、例えば、図６（ｂ）のうち、データパターン３、７、Ｂ、Ｃ、Ｄ、Ｅ、Ｆに対応する出力映像の画素データを間引く処理を行う。これにより、４分の３に縮小された映像出力データとして図７（ａ）を得る。
【００３０】
この図７（ａ）の映像出力データは、離散コサイン変換処理後のＤＣＴ係数値に乗数を掛け合わせることで特徴部分が強調されたデータとすることができたが、この補正処理を行ったデータに対して拡大縮小フィルタ２２で縮小処理をした図７（ａ）の映像出力データと、補正処理を行わない状態のデータに対して拡大縮小フィルタ２２で縮小処理をした図７（ｂ）とを比較すると、元データである図６（ａ）で示す有効映像の特徴部分が、図７（ｂ）に比べて図７（ａ）の方によりはっきりと表れているのが分かる。よって、文字や図形などの映像データの特徴を強調することが可能となり、拡大縮小フィルタ２２における処理後の映像のなまりを軽減することができ、視認性を向上させることができる。
【実施例２】
【００３１】
前記実施例１においては、セレクタ１７において選択された１６画素データについて、ＤＣＴ処理部１８によって離散コサイン変換処理を行ってＤＣＴ係数値を得て、画質補正部１９によって前記ＤＣＴ係数値に乗数を掛ける補正を行い、ＩＤＣＴ処理部２０によって前記補正後のＤＣＴ係数値を用いて逆離散コサイン変換処理を行うことで、特徴部分が強調された１６画素データを得て、これを拡大縮小フィルタ２２に出力していた。図８（ａ）に示すのは、この実施例１におけるセレクタ１７から拡大縮小フィルタ２２までの構成を簡略化したものであるが、本発明はこれに限られるものではない。
【００３２】
例えば、図８（ｂ）に示すように、図８（ａ）に示した前記実施例１における構成におけるＩＤＣＴ処理部２０と拡大縮小フィルタ２２の間にセレクタ２５を設け、このセレクタ２５によって、セレクタ１７からの補正前の１６画素データとＩＤＣＴ処理部２０からの補正後の１６画素データの何れかを選択して、後段の拡大縮小フィルタ２２に出力する構成としてもよい。セレクタ２５における選択にあたっては、セレクト信号入力端子２６からセレクト信号を入力するようにし、選択のための条件を設定するようにしてもよいし、また、ユーザが切換えられるようにしてもよい。
【００３３】
図８（ｂ）に示す構成では、セレクト信号によってセレクタ２５の出力を決定しているが、図８（ｃ）に示すように、セレクト信号に替えてＤＣＴ処理部１８からのＤＣＴ係数値によって選択するようにしてもよい。この場合には、ＤＣＴ処理部１８からのＤＣＴ係数値を閾値比較部２７に入力し、この閾値比較部２７において、別途入力される閾値入力端子２８からの閾値とＤＣＴ係数値（絶対値）とを画素毎に比較し、この比較結果に基づいて、セレクタ１７からの補正前の画素データかＩＤＣＴ処理部２０からの補正後の画素データの何れかを選択するようにする。
【００３４】
図８（ｃ）に示す構成では、ＤＣＴ処理部１８からのＤＣＴ係数値によってセレクタ２５の出力を決定しているが、図８（ｄ）に示すように、差分演算回路２９によってセレクタ１７からの補正前のデータとＩＤＣＴ処理部２０からの補正後のデータの差分を画素毎に求め、この差分値を閾値比較部２７において閾値入力端子２８からの閾値と比較して、この比較結果に基づいて、セレクタ１７からの補正前の画素データかＩＤＣＴ処理部２０からの補正後の画素データの何れかを選択するようにしてもよい。この様な構成により、補正により特徴が強調されて差分の大きい画素については補正後のデータが選択され、変動の少ない画素については補正前のデータが選択されるようになり、特徴部分のみが補正された１６画素データとして後段の拡大縮小フィルタ２２に出力することが可能となる。
【００３５】
なお、図８（ｂ）（ｃ）（ｄ）においては、セレクタ２５はＩＤＣＴ処理部２０と拡大縮小フィルタ２２の間に設けて、セレクタ１７からの補正前の１６画素データとＩＤＣＴ処理部２０からの補正後の１６画素データの何れかを選択するように構成したが、セレクタ２５を画質補正部１９とＩＤＣＴ処理部２０との間に設け、ＤＣＴ処理部１８からのＤＣＴ係数値と画質補正部１９からのＤＣＴ係数値に乗数を掛けたものとの何れかを選択するように構成してもよい。この場合には、セレクタ２５の出力に基づいてＩＤＣＴ処理部２０において逆離散コサイン変換処理を行う。また、この場合の図８（ｄ）における差分演算回路２９では、ＤＣＴ係数値と画質補正部１９からのＤＣＴ係数値に乗数を掛けたものとの差分から判別するようにする。
【００３６】
前記実施例では、画素選択部３０において４ラインから１６画素を選択して、この１６画素について処理を行うものとして説明したが、本発明はこれに限られるものではなく、ｎライン（ｎは２以上の整数）からｎ2画素を選択して処理を行うものとしても同様の効果を得ることができるものである。
【図面の簡単な説明】
【００３７】
【図１】本発明によるキーストン補正用画質補正回路の構成を示したブロック図である。
【図２】図１におけるシフトレジスタ１６の構成を示したブロック図である。
【図３】図１におけるセレクタ１７の構成を示したブロック図である。
【図４】ＤＣＴ処理部１８において離散コサイン変換処理を行うことで得られる各ＤＣＴ係数値を表した模式図である。
【図５】（ａ）は、セレクタ１７で選択された１６画素データ、（ｂ）は、（ａ）のデータに離散コサイン変換処理を行うことで得られるＤＣＴ係数値、（ｃ）は、（ｂ）のＤＣＴ係数に乗数２を掛けてから逆離散コサイン変換処理を行うことで得られる１６画素データをそれぞれ表した模式図である。
【図６】（ａ）は、有効映像範囲を表した模式図であり、（ｂ）は、（ａ）の有効映像範囲に対応した出力を得るために用いる１６個のデータパターンを表した模式図である。
【図７】図６（ａ）の有効映像範囲部分を４分の３に縮小する場合において、（ａ）は、本発明による補正を行った場合の出力結果、（ｂ）は、補正を行わない場合の出力結果をそれぞれ表した模式図である。
【図８】（ａ）は、図１におけるセレクタ１７から拡大縮小フィルタ２２までの構成を簡略化したブロック図であり、（ｂ）〜（ｄ）は、（ａ）の他の実施例を表したブロック図である。
【符号の説明】
【００３８】
１１…映像信号入力端子、１２…フレームメモリ、１３…セレクト信号入力端子、１４…パラメータ入力端子、１５…クロック信号入力端子、１６ａ〜１６ｈ…シフトレジスタ、１７…セレクタ、１８…ＤＣＴ処理部、１９…画質補正部、２０…ＩＤＣＴ処理部、２１…フィルタ係数入力端子、２２…拡大縮小フィルタ、２３…映像データ出力端子、２４…１ドット遅延回路、２５…セレクタ、２６…セレクト信号入力端子、２７…閾値比較部、２８…閾値入力端子、２９…差分演算回路、３０…画素選択部。
【図１】
2006180265.tif 000005
【図２】
2006180265.tif 000006
【図３】
2006180265.tif 000007
【図４】
2006180265.tif 000008
【図５】
2006180265.tif 000009
【図６】
2006180265.tif 000010
【図７】
2006180265.tif 000011
【図８】
2006180265.tif 000012